(57)【要約】【課題】既設の太陽電池モジュールを効率的に放熱するべく容易に改造する。【解決手段】太陽電池モジュール１００は、太陽電池本体１と、太陽電池本体１の周辺部を支持する枠部材３と、太陽電池本体１の下面側に配設され、枠部材３が立設される板状の基体部材４とを備える。また、太陽電池モジュール１００は、基体部材４の上面に配設され、基体部材４の強度を高める補強部材５と、太陽電池本体１の下面から補強部材５へ太陽電池本体の熱を伝達する熱伝達部材１２と、太陽電池本体１と熱伝達部材１２との間に配設され、太陽電池本体１から熱伝達部材１２へ伝達される熱量を増大する放熱シート１１と、を更に備える。【選択図】図１
2013069894.tif 000002
【特許請求の範囲】
【請求項１】
太陽電池本体と、前記太陽電池本体の周辺部を支持する枠部材と、前記太陽電池本体の下面側に配設され、前記枠部材が立設される板状の基体部材とを備える太陽電池モジュールであって、
前記基体部材の上面に配設され、前記基体部材の強度を高める補強部材と、
前記太陽電池本体の下面から前記補強部材へ前記太陽電池本体の熱を伝達する熱伝達部材と、を備えることを特徴とする太陽電池モジュール。
【請求項２】
請求項１に記載の太陽電池モジュールであって、
前記熱伝達部材は、一方端が前記太陽電池本体の下面に当接し、他方端が前記補強部材に当接することを特徴とする太陽電池モジュール。
【請求項３】
請求項１に記載の太陽電池モジュールであって、
前記太陽電池本体と前記熱伝達部材との間に配設され、前記太陽電池本体から前記熱伝達部材へ伝達される熱量を増大する放熱部材を更に備えることを特徴とする太陽電池モジュール。
【請求項４】
請求項３に記載の太陽電池モジュールであって、
前記放熱部材は、前記太陽電池本体と前記熱伝達部材とが対向している領域である熱伝達領域に配設されていることを特徴とする太陽電池モジュール。
【請求項５】
請求項３に記載の太陽電池モジュールであって、
前記放熱部材は、前記太陽電池本体の下面の略全体に配設されていることを特徴とする太陽電池モジュール。
【請求項６】
請求項４又は請求項５に記載の太陽電池モジュールであって、
前記太陽電池本体と前記基体部材との間に、前記太陽電池本体の下面側に配設された端子ボックスを更に備え、
前記放熱部材は、前記太陽電池本体と前記端子ボックスとの間に介設されていることを特徴とする太陽電池モジュール。
【請求項７】
請求項３から請求項６のいずれか１つに記載の太陽電池モジュールであって、
前記放熱部材は、少なくとも前記熱伝達領域に配設されているものは、衝撃を吸収する特性を有することを特徴とする太陽電池モジュール。
【請求項８】
請求項３から請求項７のいずれか１つに記載の太陽電池モジュールであって、
前記放熱部材は、熱伝導性の良好な材料からなることを特徴とする太陽電池モジュール。
【請求項９】
請求項１から請求項８のいずれか１つに記載の太陽電池モジュールであって、
前記基体部材は、支持部材によって支持され、
前記支持部材は、前記基体部材の下面において、前記補強部材が配設されている前記基体部材の上面の位置と対向する位置に係止されることを特徴とする太陽電池モジュール。
【請求項１０】
請求項９に記載の太陽電池モジュールであって、
前記支持部材は、熱伝導性の良好な材料からなることを特徴とする太陽電池モジュール。
【請求項１１】
請求項１から請求項１０のいずれか１つに記載の太陽電池モジュールであって、
前記補強部材、前記熱伝達部材、及び、前記基体部材は、熱伝導性の良好な材料からなることを特徴とする太陽電池モジュール。
【発明の詳細な説明】
【技術分野】
【０００１】
本発明は、太陽電池本体と、前記太陽電池本体の周辺部を支持する枠部材と、前記太陽電池本体の下面側に配設され、前記枠部材が立設される板状の基体部材とを備える太陽電池モジュールに関する。
【背景技術】
【０００２】
従来、街路灯等に電力を供給するために、屋外に配設される太陽電池モジュールが知られている。このように屋外に配設される場合には、強度を確保するために、太陽電池モジュール１００Ｃは、例えば、図４に示すように、太陽電池本体１と、太陽電池本体１の周辺部を支持する枠部材３と、太陽電池本体１の下面側（図４では右側）に配設され、枠部材３が立設される板状の基体部材４とを備えて構成されている。
【０００３】
図４に示す太陽電池モジュール１００Ｃにおいて、基体部材４の太陽電池本体１側（図４では左側）には、基体部材４の強度を高める補強部材５が配設されている。また、太陽電池本体１と基体部材４との間には、太陽電池本体１の下面側に、端子ボックス２が配設されている。
【０００４】
図４に示す太陽電池モジュール１００Ｃでは、太陽電池本体１の下面側は、概ね閉空間となっているため、太陽電池本体１及び端子ボックス２等で発生する熱を太陽電池本体１の下面側から効率的に放熱することができないので、太陽電池本体１の信頼性及び太陽電池本体１の発電機能に影響を及ぼす虞がある。
【０００５】
上記課題を解消するために、種々の太陽電池モジュールが提案されている。例えば、太陽電池セル３の非受光面３２を黒鉛材料からなる放熱板６と対向させて配置され、放熱板６の下面に多数の凹凸が形成されている太陽電池モジュールが開示されている（特許文献１参照）。この太陽電池モジュールによれば、太陽電池セル３の温度上昇による発電効率の低下を緩和することができる。
【先行技術文献】
【特許文献】
【０００６】
【特許文献１】特開２００９−３２８５２号公報
【発明の概要】
【発明が解決しようとする課題】
【０００７】
しかしながら、特許文献１に係る太陽電池モジュールの構造を、例えば、図４に示す既設の太陽電池モジュールに適用する場合には、太陽電池モジュールを構成する部品の多くを交換する必要があるため、改造が困難であり、且つ、コストが多大となる虞がある。
【０００８】
本発明は、上記課題に鑑みてなされたものであって、既設の太陽電池モジュールを効率的に放熱するべく容易に低コストで改造することの可能な太陽電池モジュールを提供することを目的としている。
【課題を解決するための手段】
【０００９】
上記課題を解決するために、本発明に係る太陽電池モジュールは、以下のように構成されている。
【００１０】
すなわち、本発明に係る太陽電池モジュールは、太陽電池本体と、前記太陽電池本体の周辺部を支持する枠部材と、前記太陽電池本体の下面側に配設され、前記枠部材が立設される板状の基体部材とを備える太陽電池モジュールであって、前記基体部材の上面に配設され、前記基体部材の強度を高める補強部材と、前記太陽電池本体の下面から前記補強部材へ前記太陽電池本体の熱を伝達する熱伝達部材と、を備えることを特徴としている。
【００１１】
かかる構成を備える太陽電池モジュールによれば、前記熱伝達部材によって、前記太陽電池本体の下面から前記補強部材へ前記太陽電池本体の熱が伝達され、前記補強部材から前記基体部材へ熱が伝達されて、前記基体部材の下面から放熱される。したがって、既設の太陽電池モジュールを効率的に放熱するべく容易に低コストで改造することができる。
【００１２】
すなわち、既設の太陽電池モジュールに、前記太陽電池本体の下面から前記補強部材へ前記太陽電池本体の熱を伝達する熱伝達部材を増設することによって、効率的に放熱するべく容易に低コストで改造することができるのである。
【００１３】
また、本発明に係る太陽電池モジュールは、前記熱伝達部材の一方端が前記太陽電池本体の下面に当接し、他方端が前記補強部材に当接することが好ましい。
【００１４】
かかる構成を備える太陽電池モジュールによれば、前記熱伝達部材の一方端が前記太陽電池本体の下面に当接し、他方端が前記補強部材に当接しているため、前記太陽電池本体の下面から前記熱伝達部材へ熱が伝達され、前記熱伝達部材から前記補強部材へ熱が伝達される。したがって、前記熱伝達部材によって、前記太陽電池本体の下面から前記補強部材へ熱を効率的に伝達し、効率的に放熱することができる。
【００１５】
また、本発明に係る太陽電池モジュールは、前記太陽電池本体と前記熱伝達部材との間に配設され、前記太陽電池本体から前記熱伝達部材へ伝達される熱量を増大する放熱部材を更に備えることが好ましい。
【００１６】
かかる構成を備える太陽電池モジュールによれば、前記太陽電池本体と前記熱伝達部材との間に配設された放熱部材によって、前記太陽電池本体から前記熱伝達部材へ伝達される熱量が増大されるため、前記太陽電池本体の下面から前記補強部材へ熱を更に効率的に伝達し、更に効率的に放熱することができる。
【００１７】
また、本発明に係る太陽電池モジュールは、前記放熱部材が、前記太陽電池本体と前記熱伝達部材とが対向している領域である熱伝達領域に配設されていることが好ましい。
【００１８】
かかる構成を備える太陽電池モジュールによれば、前記放熱部材が、前記太陽電池本体と前記熱伝達部材とが対向している領域である熱伝達領域に配設されているため、前記放熱部材を介して、前記太陽電池本体の下面から前記補強部材へ熱を更に効率的に伝達し、更に効率的に放熱することができる。
【００１９】
また、本発明に係る太陽電池モジュールは、前記放熱部材が、前記太陽電池本体の下面の略全体に配設されていることが好ましい。
【００２０】
かかる構成を備える太陽電池モジュールによれば、前記放熱部材が、前記太陽電池本体の下面の略全体に配設されているため、前記放熱部材を介して、前記太陽電池本体の下面の略全体から前記補強部材へ熱が伝達される。したがって、前記太陽電池本体の下面から前記補強部材へ熱を更に効率的に伝達し、更に効率的に放熱することができる。
【００２１】
また、本発明に係る太陽電池モジュールは、前記太陽電池本体と前記基体部材との間に、前記太陽電池本体の下面側に配設された端子ボックスを更に備え、前記放熱部材が、前記太陽電池本体と前記端子ボックスとの間に介設されていることが好ましい。
【００２２】
かかる構成を備える太陽電池モジュールによれば、前記放熱部材が、前記太陽電池本体と前記端子ボックスとの間に介設されているため、前記端子ボックスの熱が前記放熱部材を介して、前記補強部材へ熱が伝達される。したがって、前記端子ボックスから前記補強部材へ熱を更に効率的に伝達し、更に効率的に放熱することができる。
【００２３】
また、本発明に係る太陽電池モジュールは、前記放熱部材が、少なくとも前記熱伝達領域に配設されているものは、衝撃を吸収する特性を有することが好ましい。
【００２４】
かかる構成を備える太陽電池モジュールによれば、少なくとも前記熱伝達領域に配設されている前記放熱部材が、衝撃を吸収する特性を有するため、当該太陽電池モジュールの衝撃強度を向上することができる。
【００２５】
すなわち、前記太陽電池本体の下面から前記基体部材までの間には、前記放熱部材、前記熱伝達部材、及び、前記補強部材が介設されているため、前記太陽電池本体が、前記放熱部材、前記熱伝達部材、及び、前記補強部材を介して、前記基体部材によって支持されている。また、前記熱伝達領域に配設されている前記放熱部材が、衝撃を吸収する特性を有する。よって、前記太陽電池本体が、衝撃を吸収する特性を有する前記放熱部材を介して前記基体部材によって支持されているため、当該太陽電池モジュールの衝撃強度を向上することができるのである。
【００２６】
また、本発明に係る太陽電池モジュールは、前記放熱部材が、熱伝導性の良好な材料からなることが好ましい。
【００２７】
かかる構成を備える太陽電池モジュールによれば、前記太陽電池本体から前記放熱部材及び前記熱伝達部材を順次介して前記補強部材へ熱が伝達されるところ、前記放熱部材が、熱伝導性の良好な材料からなるため、前記太陽電池本体の下面から前記補強部材へ熱を更に効率的に伝達し、更に効率的に放熱することができる。
【００２８】
また、本発明に係る太陽電池モジュールは、前記基体部材が、支持部材によって支持され、前記支持部材が、前記基体部材の下面において、前記補強部材が配設されている前記基体部材の上面の位置と対向する位置に係止されることが好ましい。
【００２９】
かかる構成を備える太陽電池モジュールによれば、前記支持部材が、前記基体部材の下面において、前記補強部材が配設されている前記基体部材の上面の位置と対向する位置に係止されているため、前記太陽電池本体の下面から前記補強部材へ伝達された熱が、前記基体部材を介して、前記支持部材へ伝達されるので、更に効率的に放熱することができる。
【００３０】
また、本発明に係る太陽電池モジュールは、前記支持部材が、熱伝導性の良好な材料からなることが好ましい。
【００３１】
かかる構成を備える太陽電池モジュールによれば、前記太陽電池本体の下面から前記熱伝達部材、前記補強部材、及び、前記基体部材を順次介して前記支持部材へ熱が伝達されるところ、前記支持部材が、熱伝導性の良好な材料からなるため、前記太陽電池本体の下面から前記支持部材へ熱を更に効率的に伝達し、更に効率的に放熱することができる。
【００３２】
また、本発明に係る太陽電池モジュールは、前記補強部材、前記熱伝達部材、及び、前記基体部材が、熱伝導性の良好な材料からなることが好ましい。
【００３３】
かかる構成を備える太陽電池モジュールによれば、前記太陽電池本体の下面から前記熱伝達部材及び前記補強部材を順次介して、前記基体部材へ熱が伝達されるところ、前記補強部材、前記熱伝達部材、及び、前記基体部材が、熱伝導性の良好な材料からなるため、前記太陽電池本体の下面から前記基体部材へ熱を更に効率的に伝達し、更に効率的に放熱することができる。
【発明の効果】
【００３４】
本発明に係る太陽電池モジュールによれば、前記熱伝達部材によって、前記太陽電池本体の下面から前記補強部材へ前記太陽電池本体の熱が伝達され、前記補強部材から前記基体部材へ熱が伝達されて、前記基体部材の下面から放熱される。したがって、既設の太陽電池モジュールを効率的に放熱するべく容易に低コストで改造することができる。
【００３５】
すなわち、既設の太陽電池モジュールに、前記太陽電池本体の下面から前記補強部材へ前記太陽電池本体の熱を伝達する熱伝達部材を増設することによって、効率的に放熱するべく容易に低コストで改造することができるのである。
【図面の簡単な説明】
【００３６】
【図１】本発明に係る太陽電池モジュールの一例（第一実施形態）を示す断面図である。
【図２】本発明に係る太陽電池モジュールの一例（第二実施形態）を示す断面図である。
【図３】本発明に係る太陽電池モジュールの一例（第三実施形態）を示す断面図である。
【図４】従来の太陽電池モジュールの一例を示す断面図である。
【図５】太陽電池モジュールの支持構造を示す図である。
【発明を実施するための形態】
【００３７】
以下、本発明の実施の形態について、図面を参照して説明する。ここでは、便宜上、本発明に係る太陽電池モジュールの実施の形態を説明する前に、従来の太陽電池モジュールの形態について図４及び図５を参照して説明する。
【００３８】
−従来の太陽電池モジュール１００Ｃ−
図４は、従来の太陽電池モジュール１００Ｃの一例を示す断面図である。図４に示すように、太陽電池モジュール１００Ｃは、太陽電池本体１、端子ボックス２、枠部材３、基体部材４、及び、補強部材５を備えている。
【００３９】
太陽電池本体１は、太陽光を受けて発電するものであって、ガラス基板上に張り付けられた単結晶シリコン、多結晶シリコンからなる複数の結晶太陽電池セル、又は、ガラス基板上に形成された薄膜光電変換層からなる薄膜太陽電池セルを、樹脂材又は保護フィルム等で封止して形成されている。また、太陽電池本体１は、矩形平板状（図５参照）に形成されている。
【００４０】
端子ボックス２は、出力ケーブルを備え、該出力ケーブルを介して、太陽電池本体１によって発電された電力を外部に取り出すものであって、太陽電池本体１の太陽電池セルに接続された出力リード線が、樹脂材又は保護フィルムを通して下面側に引き出されて接続されている。また、端子ボックス２は、太陽電池本体１の下面側（図４では右側）に配設されている。
【００４１】
枠部材３は、基体部材４に立設され、太陽電池本体１の周辺部を支持するものである。太陽電池モジュール１００Ｃにおいては、太陽電池本体１の４辺全てが、枠部材３によって支持されている。また、枠部材３は、太陽電池本体１及び端子ボックス２を収容する筐体の一部を構成している。
【００４２】
基体部材４は、太陽電池本体１の下面側（図４では右側）に配設され、枠部材３を介して太陽電池本体１及び端子ボックス２を支持する矩形平板状（図５参照）の部材である。また、基体部材４は、太陽電池本体１及び端子ボックス２を収容する筐体の一部を構成している。更に、基体部材４は、熱伝導性の良好な材料からなり、例えば、ステンレス鋼、アルミニウム、銅等からなる。
【００４３】
補強部材５は、基体部材４の強度を高める部材であって、基体部材４の上面（図４では左側の面）に、基体部材４の対角線に沿って配設されている。また、補強部材５は、溶接、接着等によって基体部材４の上面（図４では左側の面）に係止されている。なお、図４に示すように、ここでは、補強部材５は、断面視Ｌ字状の部材である。更に、補強部材５は、熱伝導性の良好な材料からなり、例えば、ステンレス鋼、アルミニウム、銅等からなる。
【００４４】
このように、従来の太陽電池モジュール１００Ｃでは、太陽電池本体１の下面側（図４では右側）は、枠部材３及び基体部材４によって概ね閉空間が形成されているため、太陽電池本体１及び端子ボックス２等で発生する熱を太陽電池本体１の下面側から効率的に放熱することができない。
【００４５】
−太陽電池モジュール１００Ｃの支持構造−
次に、図５を用いて太陽電池モジュール１００Ｃの支持構造について説明する。図５は、太陽電池モジュール１００Ｃの支持構造を示す図である。図５（ａ）は、正面図であり、図５（ｂ）は、側面図であり、図５（ｃ）は、背面図である。
【００４６】
太陽電池モジュール１００Ｃを構成する基体部材４の下面には、ボルト止め、溶接、接着等によって支持部材６の上端が係止されている。支持部材６は、太陽電池モジュール１００Ｃを支持する円筒状（又は円柱状）部材であって、その下端は、路面等の地面に埋設等されて固定されている。すなわち、太陽電池モジュール１００Ｃは、ここでは、屋外に配設され、例えば、街路灯等に電力を供給するものである。
【００４７】
また、支持部材６は、基体部材４の中心位置（すなわち、基体部材４の対角線の交点位置）を中心として基体部材４に係止されている。更に、図５に示すように、太陽電池モジュール１００Ｃの太陽電池本体１の上面が太陽に向くように（太陽電池本体１の上面が太陽光の光線と直交するように）、支持部材６に対して傾斜して基体部材４が係止されている。更に、支持部材６は、熱伝導性の良好な材料からなり、例えば、ステンレス鋼、アルミニウム、銅等からなる。
【００４８】
なお、以下の説明では、本発明に係る太陽電池モジュール１００、１００Ａ、１００Ｂも従来の太陽電池モジュール１００Ｃと同様に、支持部材６によって支持されている場合について説明する。また、本発明に係る太陽電池モジュール１００、１００Ａ、１００Ｂを構成する部材のうち、太陽電池モジュール１００Ｃを構成する部材と実質的に同一の部材には、同一の部材名及び同一の参照符合を付し、その説明を省略する。
【００４９】
−第一実施形態に係る太陽電池モジュール１００−
図１は、本発明に係る太陽電池モジュール１００の一例（第一実施形態）を示す断面図である。太陽電池モジュール１００は、放熱シート１１及び熱伝達部材１２を備える点で、図４に示す従来の太陽電池モジュール１００Ｃと相違している。
【００５０】
放熱シート１１は、太陽電池本体１と熱伝達部材１２との間に配設され、太陽電池本体１から熱伝達部材１２へ伝達される熱量を増大するシート状の部材である。放熱シート１１は、特許請求の範囲に記載の「放熱部材」に相当する。また、放熱シート１１は、熱伝導性の良好な材料からなる。
【００５１】
また、放熱シート１１は、太陽電池本体１の下面の略全体に配設されている。更に、放熱シート１１は、太陽電池本体１と端子ボックス２との間に介設されている。加えて、少なくとも太陽電池本体１と熱伝達部材１２とが対向している領域である熱伝達領域Ａｔに配設されている放熱シート１１は、衝撃を吸収する特性を有する。放熱シート１１は、具体的には、例えば、エポキシ樹脂、シリコーン樹脂等の主剤に添加剤として金、銀、銅、アルミニウム、マグネシウム、鉄、ステンレス等の金属、又は、酸化アルミニウム、酸化マグネシウム、酸化亜鉛等の金属酸化物、窒化ホウ素、窒化アルミニウム、カーボン等を１つ以上混合したものである（特開２００６−３３２５３２号公報参照）。
【００５２】
熱伝達部材１２は、太陽電池本体１の下面（図１では右側面）から補強部材５へ太陽電池本体１の熱を伝達する部材であって、図１に示すように、一方端（図１では左端）が放熱シート１１の下面に当接し、他方端（図１では右端）が補強部材５に当接している（ここでは、溶接、接着等で係止されている）。ここでは、熱伝達部材１２は、図１に示すように、補強部材５と同様に、断面視Ｌ字状の部材である。また、熱伝達部材１２は、熱伝導性の良好な材料からなり、例えば、ステンレス鋼、アルミニウム、銅等からなる。
【００５３】
図１の矢印Ｖ１は、熱の伝達方向を示し、太陽電池本体１の下面（図１では右側面）及び端子ボックス２の上面（図１では左側面）から放熱シート１１に伝達され、放熱シート１１内を、熱伝達領域Ａｔに向けて伝達される。そして、熱伝達領域Ａｔにおいて、放熱シート１１から熱伝達部材１２へ伝達され、熱伝達部材１２から補強部材５へ伝達され、補強部材５から基体部材４を経由して支持部材６へ伝達される。
【００５４】
このようにして、熱伝達部材１２によって、太陽電池本体１の下面（図１では右側面）から補強部材５へ太陽電池本体１の熱が伝達され、補強部材５から基体部材４へ熱が伝達されて、基体部材４の下面及び支持部材６から放熱される。したがって、既設の太陽電池モジュール（例えば、太陽電池モジュール１００Ｃ）を効率的に放熱するべく、太陽電池モジュール１００に容易に改造することができる。
【００５５】
すなわち、既設の太陽電池モジュール（例えば、太陽電池モジュール１００Ｃ）に、太陽電池本体１の下面から補強部材５へ太陽電池本体１の熱を伝達する放熱シート１１及び熱伝達部材１２を増設することによって、効率的に放熱するべく容易に改造することができるのである。
【００５６】
また、太陽電池本体１と熱伝達部材１２との間に配設された放熱シート１１によって、太陽電池本体１から熱伝達部材１２へ伝達される熱量が増大されるため、太陽電池本体１の下面から補強部材５へ熱を更に効率的に伝達し、更に効率的に放熱することができる。
【００５７】
更に、放熱シート１１が、太陽電池本体１の下面（図１では右側面）の略全体に配設されているため、放熱シート１１を介して、太陽電池本体１の下面の略全体から補強部材５へ熱が伝達され、更に、補強部材５から基体部材４を経由して支持部材６へ伝達される。したがって、太陽電池本体１の下面から補強部材５へ熱を更に効率的に伝達し、更に効率的に放熱することができる。
【００５８】
本実施形態では、放熱シート１１が、太陽電池本体１の下面（図１では右側面）の略全体に配設されている場合について説明するが、放熱シート１１が、太陽電池本体１の下面（図１では右側面）の一部に配設されている形態でもよい。特に、太陽電池本体１の中心部近傍に熱が蓄積し易いため、太陽電池本体１の中心部近傍の熱を放熱するために、太陽電池本体１の中心部近傍に放熱シート１１を配設することが好ましい。
【００５９】
更に、放熱シート１１が、太陽電池本体１と端子ボックス２との間に介設されているため、端子ボックス２の熱が放熱シート１１を介して、補強部材５へ熱が伝達される。よって、端子ボックス２から補強部材５へ熱を更に効率的に伝達し、更に効率的に放熱することができる。なお、補強部材５へ伝達された熱は、上述のように、基体部材４の下面及び支持部材６から放熱される。
【００６０】
本実施形態では、放熱シート１１が、太陽電池本体１の下面（図１では右側面）の略全体に配設されている場合について説明するが、特に端子ボックス２の放熱が重要である場合には、放熱シート１１が、太陽電池本体１と端子ボックス２との間に介設されると共に、太陽電池本体１と熱伝達部材１２との間に介設されている形態であればよい。
【００６１】
また、熱伝達領域Ａｔに配設されている放熱シート１１が、衝撃を吸収する特性を有するため、太陽電池モジュール１００の衝撃強度を向上することができる。
【００６２】
すなわち、太陽電池本体１の下面から基体部材４までの間には、放熱シート１１、熱伝達部材１２、及び、補強部材５が介設されているため、太陽電池本体１が、放熱シート１１、熱伝達部材１２、及び、補強部材５を介して、基体部材４によって支持されている。また、熱伝達領域Ａｔに配設されている放熱シート１１が、衝撃を吸収する特性を有する。よって、太陽電池本体１が、衝撃を吸収する特性を有する放熱シート１１を介して基体部材４によって支持されているため、太陽電池モジュール１００の衝撃強度を向上することができるのである。
【００６３】
更に、支持部材６が、基体部材４の下面において、補強部材５が配設されている基体部材４の上面の位置と対向する位置に係止されているため、太陽電池本体１の下面から補強部材５へ伝達された熱が、基体部材４を介して、支持部材６へ伝達されるので、更に効率的に放熱することができる。
【００６４】
すなわち、支持部材６は、上述のように、その下端が、路面等の地面に埋設等されて固定されているため、太陽電池モジュール１００と比較して低温に維持されていると想定されるからである。
【００６５】
加えて、太陽電池本体１の下面から放熱シート１１、熱伝達部材１２、補強部材５、及び、基体部材４を順次介して支持部材６へ熱が伝達されるところ、放熱シート１１、熱伝達部材１２、補強部材５、基体部材４、及び、支持部材６が、熱伝導性の良好な材料からなるため、太陽電池本体１の下面から支持部材６へ熱を更に効率的に伝達し、更に効率的に放熱することができる。
【００６６】
本実施形態では、熱伝達部材１２と補強部材５とが溶接、接着等で係止されている場合について説明したが、熱伝達部材１２と補強部材５とが溶接されていることが好ましい。この場合には、熱伝達部材１２と補強部材５との間の接触面積が増大し、熱伝達し易くなるためである。同様にして、太陽電池本体１の下面と放熱シート１１との間、端子ボックス２と放熱シート１１との間、放熱シート１１と熱伝達部材１２との間、補強部材５と基体部材４との間、及び、基体部材４と支持部材６との間も、熱伝達し易い態様で接続されていることが好ましい。
【００６７】
−第二実施形態に係る太陽電池モジュール１００Ａ−
図２は、本発明に係る太陽電池モジュール１００Ａの一例（第二実施形態）を示す断面図である。太陽電池モジュール１００Ａは、放熱シート１３及び熱伝達部材１２を備える点で、図４に示す従来の太陽電池モジュール１００Ｃと相違している。なお、熱伝達部材１２は、実質的に、図１に示す太陽電池モジュール１００の熱伝達部材１２と同一であるため、その説明を省略する。
【００６８】
放熱シート１３は、太陽電池本体１と熱伝達部材１２との間に配設され、太陽電池本体１から熱伝達部材１２へ伝達される熱量を増大するシート状の部材である。放熱シート１１は、特許請求の範囲に記載の「放熱部材」に相当する。また、放熱シート１１は、熱伝導性の良好な材料からなる。
【００６９】
また、放熱シート１１は、太陽電池本体１と熱伝達部材１２とが対向している領域である熱伝達領域Ａｔに配設されている。更に、放熱シート１１は、衝撃を吸収する特性を有する。放熱シート１１は、具体的には、例えば、エポキシ樹脂、シリコーン樹脂等の主剤に添加剤として金、銀、銅、アルミニウム、マグネシウム、鉄、ステンレス等の金属、又は、酸化アルミニウム、酸化マグネシウム、酸化亜鉛等の金属酸化物、窒化ホウ素、窒化アルミニウム、カーボン等を１つ以上混合したものである（特開２００６−３３２５３２号公報参照）。
【００７０】
図２の矢印Ｖ２は、熱の伝達方向を示し、太陽電池本体１の下面（図１では右側面）から放熱シート１３に伝達される。そして、放熱シート１３から熱伝達部材１２へ伝達され、熱伝達部材１２から補強部材５へ伝達され、補強部材５から基体部材４を経由して支持部材６へ伝達される。
【００７１】
このようにして、熱伝達部材１２によって、太陽電池本体１の下面（図１では右側面）から補強部材５へ太陽電池本体１の熱が伝達され、補強部材５から基体部材４へ熱が伝達されて、基体部材４の下面及び支持部材６から放熱される。したがって、既設の太陽電池モジュール（例えば、太陽電池モジュール１００Ｃ）を効率的に放熱するべく、太陽電池モジュール１００に容易に改造することができる。
【００７２】
すなわち、既設の太陽電池モジュール（例えば、太陽電池モジュール１００Ｃ）に、太陽電池本体１の下面から補強部材５へ太陽電池本体１の熱を伝達する放熱シート１３及び熱伝達部材１２を増設することによって、効率的に放熱するべく容易に改造することができるのである。
【００７３】
また、太陽電池本体１と熱伝達部材１２との間に配設された放熱シート１３によって、太陽電池本体１から熱伝達部材１２へ伝達される熱量が増大されるため、太陽電池本体１の下面から補強部材５へ熱を更に効率的に伝達し、更に効率的に放熱することができる。
【００７４】
更に、放熱シート１３が、太陽電池本体１と熱伝達部材１２とが対向している領域である熱伝達領域Ａｔに配設されているため、放熱シート１３を介して、太陽電池本体１の下面から補強部材５へ熱を更に効率的に伝達し、更に効率的に放熱することができる。
【００７５】
また、放熱シート１３が、衝撃を吸収する特性を有するため、太陽電池モジュール１００Ａの衝撃強度を向上することができる。
【００７６】
すなわち、太陽電池本体１の下面から基体部材４までの間には、放熱シート１３、熱伝達部材１２、及び、補強部材５が介設されているため、太陽電池本体１が、放熱シート１３、熱伝達部材１２、及び、補強部材５を介して、基体部材４によって支持されている。また、放熱シート１３が、衝撃を吸収する特性を有する。よって、太陽電池本体１が、衝撃を吸収する特性を有する放熱シート１３を介して基体部材４によって支持されているため、太陽電池モジュール１００Ａの衝撃強度を向上することができるのである。
【００７７】
更に、支持部材６が、基体部材４の下面において、補強部材５が配設されている基体部材４の上面の位置と対向する位置に係止されているため、太陽電池本体１の下面から補強部材５へ伝達された熱が、基体部材４を介して、支持部材６へ伝達されるので、更に効率的に放熱することができる。
【００７８】
すなわち、支持部材６は、上述のように、その下端が、路面等の地面に埋設等されて固定されているため、太陽電池モジュール１００と比較して低温に維持されていると想定されるからである。
【００７９】
加えて、太陽電池本体１の下面から放熱シート１３、熱伝達部材１２、補強部材５、及び、基体部材４を順次介して支持部材６へ熱が伝達されるところ、放熱シート１３、熱伝達部材１２、補強部材５、基体部材４、及び、支持部材６が、熱伝導性の良好な材料からなるため、太陽電池本体１の下面から支持部材６へ熱を更に効率的に伝達することができる。
【００８０】
本実施形態では、熱伝達部材１２と補強部材５とが溶接、接着等で係止されている場合について説明したが、熱伝達部材１２と補強部材５とが溶接されていることが好ましい。この場合には、熱伝達部材１２と補強部材５との間の接触面積が増大し、熱伝達し易くなるためである。同様にして、太陽電池本体１の下面と放熱シート１３との間、放熱シート１３と熱伝達部材１２との間、補強部材５と基体部材４との間、及び、基体部材４と支持部材６との間も、熱伝達し易い態様で接続されていることが好ましい。
【００８１】
−第三実施形態に係る太陽電池モジュール１００Ｂ−
図３は、本発明に係る太陽電池モジュール１００Ｂの一例（第三実施形態）を示す断面図である。太陽電池モジュール１００Ｂは、熱伝達部材１４を備える点で、図４に示す従来の太陽電池モジュール１００Ｃと相違している。
【００８２】
熱伝達部材１４は、太陽電池本体１の下面（図３では右側面）から補強部材５へ太陽電池本体１の熱を伝達する部材であって、図３に示すように、一方端（図３では左端）が太陽電池本体１の下面に当接し、他方端（図１では右端）が補強部材５に当接している（ここでは、溶接、接着等で係止されている）。ここでは、熱伝達部材１４は、図３に示すように、補強部材５と同様に、断面視Ｌ字状の部材である。また、熱伝達部材１４は、熱伝導性の良好な材料からなり、例えば、ステンレス鋼、アルミニウム、銅等からなる。
【００８３】
図３の矢印Ｖ３は、熱の伝達方向を示し、太陽電池本体１の下面（図１では右側面）から熱伝達部材１４へ伝達され、熱伝達部材１４から補強部材５へ伝達され、補強部材５から基体部材４を経由して支持部材６へ伝達される。
【００８４】
このようにして、熱伝達部材１４によって、太陽電池本体１の下面（図１では右側面）から補強部材５へ太陽電池本体１の熱が伝達され、補強部材５から基体部材４へ熱が伝達されて、基体部材４の下面及び支持部材６から放熱される。したがって、既設の太陽電池モジュール（例えば、太陽電池モジュール１００Ｃ）を効率的に放熱するべく、太陽電池モジュール１００に容易に改造することができる。
【００８５】
すなわち、既設の太陽電池モジュール（例えば、太陽電池モジュール１００Ｃ）に、太陽電池本体１の下面から補強部材５へ太陽電池本体１の熱を伝達する熱伝達部材１４を増設することによって、効率的に放熱するべく容易に改造することができるのである。
【００８６】
また、支持部材６が、基体部材４の下面において、補強部材５が配設されている基体部材４の上面の位置と対向する位置に係止されているため、太陽電池本体１の下面から補強部材５へ伝達された熱が、基体部材４を介して、支持部材６へ伝達されるので、更に効率的に放熱することができる。
【００８７】
すなわち、支持部材６は、上述のように、その下端が、路面等の地面に埋設等されて固定されているため、太陽電池モジュール１００と比較して低温に維持されていると想定されるからである。
【００８８】
更に、太陽電池本体１の下面から熱伝達部材１４、補強部材５、及び、基体部材４を順次介して支持部材６へ熱が伝達されるところ、熱伝達部材１４、補強部材５、基体部材４、及び、支持部材６が、熱伝導性の良好な材料からなるため、太陽電池本体１の下面から支持部材６へ熱を更に効率的に伝達することができる。
【００８９】
本実施形態では、熱伝達部材１４と補強部材５とが溶接、接着等で係止されている場合について説明したが、熱伝達部材１４と補強部材５とが溶接されていることが好ましい。この場合には、熱伝達部材１４と補強部材５との間の接触面積が増大し、熱伝達し易くなるためである。同様にして、太陽電池本体１の下面と熱伝達部材１４との間、補強部材５と基体部材４との間、及び、基体部材４と支持部材６との間も、熱伝達し易い態様で接続されていることが好ましい。
【００９０】
−変形例−
第一実施形態、第二実施形態、及び、第三実施形態では、熱伝達部材１２、１４が、補強部材５と同様に、断面視Ｌ字状の部材である場合について説明したが、熱伝達部材１２、１４が、その他の形状（例えば、断面視矩形状）の部材である形態でもよい。熱伝達部材１２、１４の形状は、補強部材５との間の熱伝達し易い形態が好ましい。
【００９１】
第一実施形態、第二実施形態、及び、第三実施形態では、熱伝達部材１２、１４が、補強部材５を介して、基体部材４へ熱を伝達する場合について説明したが、熱伝達部材１２、１４が、直接、基体部材４へ熱を伝達する形態でもよい。この場合には、熱伝達部材１２、１４から基体部材４へ更に効率的に熱を伝達することが可能となる。
【００９２】
具体的には、例えば、補強部材５に換えて、熱伝達部材１２、１４と補強部材５とが一体に形成された断面視コの字状の部材を配設する形態でもよい。更には、補強部材５に換えて、断面視Ｈ型の部材（例えば、Ｈ型の型鋼）を配設する形態でもよい。この場合には、太陽電池本体１の下面（又は放熱シート１１、１３）と断面視Ｈ型の部材との接触面積を増大することが可能であるため、この間で効率的に熱伝達することができる。同様に、断面視Ｈ型の部材と基体部材４との接触面積をも増大することが可能であるため、この間で効率的に熱伝達することができる。
【００９３】
第一実施形態、第二実施形態、及び、第三実施形態では、予め補強部材５が配設されている場合について説明したが、従来の太陽電池モジュールに補強部材５が配設されていない形態でもよい。この場合には、基体部材４の上面に補強部材５を配設した後、第一実施形態、第二実施形態、及び、第三実施形態で示すように改造すればよい。
【００９４】
また、上述のように、補強部材５に換えて、熱伝達部材１２、１４と補強部材５とが一体に形成された断面視コの字状の部材を配設する形態でもよい。更には、補強部材５に換えて、断面視Ｈ型の部材（例えば、Ｈ型の型鋼）を配設する形態でもよい。この場合には、太陽電池本体１の下面（又は放熱シート１１、１３）と断面視Ｈ型の部材との接触面積を増大することが可能であるため、この間で効率的に熱伝達することができる。同様に、断面視Ｈ型の部材と基体部材４との接触面積をも増大することが可能であるため、この間で効率的に熱伝達することができる。
【産業上の利用可能性】
【００９５】
本発明は、太陽電池本体と、前記太陽電池本体の周辺部を支持する枠部材と、前記太陽電池本体の下面側に配設され、前記枠部材が立設される板状の基体部材とを備える太陽電池モジュールに利用することができる。特に、屋外に配設される太陽電池モジュールに好適に利用することができる。
【符号の説明】
【００９６】
１００、１００Ａ、１００Ｂ、１００Ｃ  太陽電池モジュール
１  太陽電池本体
２  端子ボックス
３  枠部材
４  基体部材
５  補強部材
６  支持部材
１１  放熱シート（放熱部材）
１２  熱伝達部材
１３  放熱シート（放熱部材）
１４  熱伝達部材
【図１】
2013069894.tif 000003
【図２】
2013069894.tif 000004
【図３】
2013069894.tif 000005
【図４】
2013069894.tif 000006
【図５】
2013069894.tif 000007